(57)【要約】【課題】視力の弱い装着者であっても、装着時に前後の区別を容易に行うことができる吸収性物品を提供する。【解決手段】人体に接する面に設けられたトップシート２と、トップシート２と反対側に設けられたバックシート３と、トップシート２とバックシート３との間に設けられた吸収体４と、を備え、装着時に装着者の腹側に位置する腹側部１Ａと、背側に位置する背側部１Ｂと、股下に位置する股下部１Ｃとに区分される使い捨てパンツタイプ紙おむつ１において、腹側部１Ａを形成し、バックシート３より内側に位置する腹側形成部材に施された色、柄、図形、模様、記号又は文字の全てが、背側部１Ｂを形成し、バックシート３より内側に位置する背側形成部材に施された色、柄、図形、模様、記号又は文字と異ならせる。【選択図】図１
2005237768.tif 000002
【特許請求の範囲】
【請求項１】
人体に接する面に設けられた内面シートと、前記内面シートと反対側に設けられた外面シートと、前記内面シートと前記外面シートとの間に設けられた吸収体と、を備え、
装着時に装着者の腹側に位置する腹側部と、背側に位置する背側部と、股下に位置する股下部とに区分される吸収性物品において、
前記腹側部を形成し、前記外面シートより内側に位置する腹側形成部材に施された色、柄、図形、模様、記号又は文字の全てが、前記背側部を形成し、前記外面シートより内側に位置する背側形成部材に施された色、柄、図形、模様、記号又は文字と異なることを特徴とする吸収性物品。
【請求項２】
人体に接する面に設けられた内面シートと、前記内面シートと反対側に設けられた外面シートと、前記内面シートと前記外面シートとの間に設けられた吸収体と、を備え、
装着時に装着者の腹側に位置する腹側部と、背側に位置する背側部と、股下に位置する股下部とに区分される吸収性物品において、
前記腹側部を形成する腹側形成部材に施された色、柄、図形、模様、記号又は文字の全てが、前記背側部を形成する背側形成部材に施された色、柄、図形、模様、記号又は文字と異なることを特徴とする吸収性物品。
【請求項３】
前記腹側形成部材には、第１の色が統一して施され、前記背側形成部材には、前記第1の色と異なる第２の色が統一して施されていることを特徴とする請求項１又は２に記載の吸収性物品。
【請求項４】
人体に接する面に設けられた内面シートと、前記内面シートと反対側に設けられた外面シートと、前記内面シートと前記外面シートとの間に設けられた吸収体と、を備え、
装着時に装着者の腹側に位置する腹側部と、背側に位置する背側部と、股下に位置する股下部とに区分される吸収性物品において、
前記腹側部に、前記背側部を形成する背側形成部材に施された色、柄、図形、模様、記号又は文字の全てと異なる色、柄、図形、模様、記号又は文字を有する識別シートを備えたことを特徴とする吸収性物品。
【請求項５】
前記識別シートは、前記識別シートが備えられた面を形成する前記腹側形成部材と異なる感触を有することを特徴とする請求項４に記載の吸収性物品。
【請求項６】
人体に接する面に設けられた内面シートと、前記内面シートと反対側に設けられた外面シートと、前記内面シートと前記外面シートとの間に設けられた吸収体と、を備え、
装着時に装着者の腹側に位置する腹側部と、背側に位置する背側部と、股下に位置する股下部とに区分される吸収性物品において、
前記背側部に、前記腹側部を形成する腹側形成部材に施された色、柄、図形、模様、記号又は文字の全てと異なる色、柄、図形、模様、記号又は文字を有する識別シートを備えたことを特徴とする吸収性物品。
【請求項７】
前記識別シートは、前記識別シートが備えられた面を形成する前記背側形成部材と異なる感触を有することを特徴とする請求項６に記載の吸収性物品。
【請求項８】
人体に接する面に設けられた内面シートと、前記内面シートと反対側に設けられた外面シートと、前記内面シートと前記外面シートとの間に設けられた吸収体と、を備え、
装着時に装着者の腹側に位置する腹側部と、背側に位置する背側部と、股下に位置する股下部とに区分される吸収性物品において、
前記腹側部に、識別シートを備え、
前記識別シートは、前記識別シートが備えられた面を形成する部材と異なる感触を有することを特徴とする吸収性物品。
【請求項９】
人体に接する面に設けられた内面シートと、前記内面シートと反対側に設けられた外面シートと、前記内面シートと前記外面シートとの間に設けられた吸収体と、を備え、
装着時に装着者の腹側に位置する腹側部と、背側に位置する背側部と、股下に位置する股下部とに区分される吸収性物品において、
前記背側部に、識別シートを備え、
前記識別シートは、前記識別シートが備えられた面を形成する部材と異なる感触を有することを特徴とする吸収性物品。
【請求項１０】
人体に接する面に設けられた内面シートと、前記内面シートと反対側に設けられた外面シートと、前記内面シートと前記外面シートとの間に設けられた吸収体と、を備え、
装着時に装着者の腹側に位置する腹側部と、背側に位置する背側部と、股下に位置する股下部とに区別される吸収性物品において、
前記腹側部の前記外面シートと、前記背側部の前記外面シートとが異なる感触を有することを特徴とする吸収性物品。
【請求項１１】
人体に接する面に設けられた内面シートと、前記内面シートと反対側に設けられた外面シートと、前記内面シートと前記外面シートとの間に設けられた吸収体と、を備え、
装着時に装着者の腹側に位置する腹側部と、背側に位置する背側部と、股下に位置する股下部とに区別される吸収性物品において、
前記腹側部における前記内面シートと前記外面シートの感触が、前記背側部における前記内面シートと前記外面シートの感触と異なることを特徴とする吸収性物品。
【発明の詳細な説明】
【技術分野】
【０００１】
本発明は、吸収性物品に関する。
【背景技術】
【０００２】
吸収性物品としての使い捨てパンツタイプ紙おむつ（以下、紙おむつという。）の機能を確実に発揮させて、装着者が快適な装着感を得るためには、その前後向きを正しく装着する必要がある。
従来、装着者による紙おむつの前後判断を助けるために様々な工夫がなされてきた。例えば、腰回り部材に文字、図形、記号又は模様を施し、装着者がそれらを視認することによって紙おむつの前後を区別し、装着の向きを判断することができるおむつ（例えば、特許文献１）や、前身頃（腹側）や後身頃（背側）に剥離シートを設けて、それを目印にして前後の区別を容易にした紙おむつ（例えば、特許文献２）等が提供されている。
【特許文献１】特開平１０−２９８８０１号公報
【特許文献２】特開平８−１１７２７８号公報
【発明の開示】
【発明が解決しようとする課題】
【０００３】
しかし、特許文献１及び２における紙おむつの場合、紙おむつの前後区別の判断を助ける情報が、例えば腰回り部材や、剥離シートなどの一部分の限られた範囲に設けられているため、一見して紙おむつの前後を判断することが困難であり、特に視力の弱い装着者においては区別を付け難いという問題があった。
そこで、本発明の課題は、視力の弱い装着者であっても、装着時に前後の区別を容易に行うことができる吸収性物品を提供することである。
【課題を解決するための手段】
【０００４】
前述した課題を解決するために、請求項１に記載の発明は、人体に接する面に設けられた内面シートと、前記内面シートと反対側に設けられた外面シートと、前記内面シートと前記外面シートとの間に設けられた吸収体と、を備え、装着時に装着者の腹側に位置する腹側部と、背側に位置する背側部と、股下に位置する股下部とに区分される吸収性物品において、前記腹側部を形成し、前記外面シートより内側に位置する腹側形成部材に施された色、柄、図形、模様、記号又は文字の全てが、前記背側部を形成し、前記外面シートより内側に位置する背側形成部材に施された色、柄、図形、模様、記号又は文字と異なることを特徴とする
【０００５】
「色、柄、図形、模様、記号又は文字の全て」とは、これらが二つ以上の複数の組み合わせによって施される場合には、その全てをいう。
【０００６】
請求項２に記載の発明は、人体に接する面に設けられた内面シートと、前記内面シートと反対側に設けられた外面シートと、前記内面シートと前記外面シートとの間に設けられた吸収体と、を備え、装着時に装着者の腹側に位置する腹側部と、背側に位置する背側部と、股下に位置する股下部とに区分される吸収性物品において、前記腹側部を形成する腹側形成部材に施された色、柄、図形、模様、記号又は文字の全てが、前記背側部を形成する背側形成部材に施された色、柄、図形、模様、記号又は文字と異なることを特徴とする。
【０００７】
請求項３に記載の発明は、請求項１又は２に記載の吸収性物品において、前記腹側形成部材には、第１の色が統一して施され、前記背側形成部材には、前記第1の色と異なる第２の色が統一して施されていることを特徴とする。
【０００８】
請求項４に記載の発明は、人体に接する面に設けられた内面シートと、前記内面シートと反対側に設けられた外面シートと、前記内面シートと前記外面シートとの間に設けられた吸収体と、を備え、装着時に装着者の腹側に位置する腹側部と、背側に位置する背側部と、股下に位置する股下部とに区分される吸収性物品において、前記腹側部に、前記背側部を形成する背側形成部材に施された色、柄、図形、模様、記号又は文字の全てと異なる色、柄、図形、模様、記号又は文字を有する識別シートを備えたことを特徴とする。
【０００９】
請求項５に記載の発明は、請求項４に記載の吸収性物品において、前記識別シートは、前記識別シートが備えられた面を形成する前記腹側形成部材と異なる感触を有することを特徴とする。
【００１０】
ここで、「異なる感触を有する」とは、部材の持つ厚み、起毛感、滑らか感、凸凹感、伸縮性や収縮性等、いわゆる触覚により得られる触感に関する情報が異なることを意味する。
【００１１】
請求項６に記載の発明は、人体に接する面に設けられた内面シートと、前記内面シートと反対側に設けられた外面シートと、前記内面シートと前記外面シートとの間に設けられた吸収体と、を備え、装着時に装着者の腹側に位置する腹側部と、背側に位置する背側部と、股下に位置する股下部とに区分される吸収性物品において、前記背側部に、前記腹側部を形成する腹側形成部材に施された色、柄、図形、模様、記号又は文字の全てと異なる色、柄、図形、模様、記号又は文字を有する識別シートを備えたことを特徴とする。
【００１２】
請求項７に記載の発明は、請求項６に記載の吸収性物品において、前記識別シートは、前記識別シートが備えられた面を形成する前記背側形成部材と異なる感触を有することを特徴とする。
【００１３】
請求項８に記載の発明は、人体に接する面に設けられた内面シートと、前記内面シートと反対側に設けられた外面シートと、前記内面シートと前記外面シートとの間に設けられた吸収体と、を備え、装着時に装着者の腹側に位置する腹側部と、背側に位置する背側部と、股下に位置する股下部とに区分される吸収性物品において、前記腹側部に、識別シートを備え、前記識別シートは、前記識別シートが備えられた面を形成する部材と異なる感触を有することを特徴とする。
【００１４】
請求項９に記載の発明は、人体に接する面に設けられた内面シートと、前記内面シートと反対側に設けられた外面シートと、前記内面シートと前記外面シートとの間に設けられた吸収体と、を備え、装着時に装着者の腹側に位置する腹側部と、背側に位置する背側部と、股下に位置する股下部とに区分される吸収性物品において、前記背側部に、識別シートを備え、前記識別シートは、前記識別シートが備えられた面を形成する部材と異なる感触を有することを特徴とする。
【００１５】
請求項１０に記載の発明は、人体に接する面に設けられた内面シートと、前記内面シートと反対側に設けられた外面シートと、前記内面シートと前記外面シートとの間に設けられた吸収体と、を備え、装着時に装着者の腹側に位置する腹側部と、背側に位置する背側部と、股下に位置する股下部とに区別される吸収性物品において、前記背側部の前記外面シートと、前記背側部の前記外面シートとが異なる感触を有することを特徴とする。
【００１６】
請求項１１に記載の発明は、人体に接する面に設けられた内面シートと、前記内面シートと反対側に設けられた外面シートと、前記内面シートと前記外面シートとの間に設けられた吸収体と、を備え、装着時に装着者の腹側に位置する腹側部と、背側に位置する背側部と、股下に位置する股下部とに区別される吸収性物品において、前記腹側部における前記内面シートと前記外面シートの感触が、前記背側部における前記内面シートと前記外面シートの感触と異なることを特徴とする。
【発明の効果】
【００１７】
請求項１に係る発明によれば、吸収性物品の、外面シートより内側に位置する部材に施された、色、柄、図形、模様、記号又は文字が、腹側部を形成する腹側形成部材と、背側部を形成する背側形成部材とにおいて全て異なることとなる。
これにより、吸収性物品を装着する際に、限定的な一領域の狭い範囲からでなく、より広範囲から前後区別のための情報を得られることとなる。従って、視力の弱い装着者であっても、装着時に前後の区別を容易に行うことができ、装着の向きを短時間で判断することができる。
【００１８】
請求項２に係る発明によれば、吸収性物品を形成する部材に施された、色、柄、図形、模様、記号又は文字が、腹側部を形成する腹側形成部材と、背側部を形成する背側形成部材とにおいて全て異なることとなる。
これにより、吸収性物品を装着する際に、限定的な一領域の狭い範囲からでなく、より広範囲から前後区別のための情報を得られることとなる。従って、視力の弱い装着者であっても、装着時に前後の区別を容易に行うことができ、装着の向きを素早く判断することができる。
【００１９】
請求項３に係る発明によれば、請求項１又は２に記載の発明と同様の効果が得られることは無論のこと、特に、腹側部を形成する腹側形成部材が第１の色に統一され、背側部を形成する背側形成部材が第２の色に統一されるため、視認した面に、二色のうちいずれの色が施されているかを判断するだけで前後区別のための情報が得られることとなる。従って、視力の弱い装着者であっても、装着時に前後の区別を容易に行うことができ、装着の向きをさらに素早く判断することができる。
また、用いられる色が二色に限定されることとなるため、吸収性物品全体として統一感が生まれ、高いデザイン性が備わり、装着者に洗練された印象を与えることができる。
【００２０】
請求項４に係る発明によれば、腹側部に、背側部を構成する背側形成部材が有する色、柄、図形、模様、記号又は文字とは異なる色、柄、図形、模様、記号又は文字を有する別体の識別シートが備えられることとなる。
これにより、腹側部を形成する腹側形成部材や背側部を形成する背側形成部材に色、柄、図形、模様、記号又は文字を配する手間を省いても尚、腹側部に配された、色、柄、図形、模様、記号又は文字を有する識別シートを視認することによって前後区別のための情報を得られることとなる。従って、製造の手間を抑えた吸収性物品でありながら、視力の弱い装着者であっても、装着時に前後の区別を容易に行うことができ、装着の向きを素早く判断することができる。
【００２１】
請求項５に係る発明によれば、請求項４に記載の発明と同様の効果が得られることは当然のこと、特に、識別シートと、該識別シートが貼り付けられた面の感触が異なることによって、識別シートの有する、色、柄、図形、模様、記号又は文字からのみならず、触感からも、前後区別のための情報を得られることとなる。これにより、特に視力の弱い装着者であっても、装着時に前後の区別を容易に行うことができ、装着の向きを素早く判断することができる。
【００２２】
請求項６に係る発明によれば、背側部に、腹側部を構成する腹側形成部材が有する色、柄、図形、模様、記号又は文字とは異なる色、柄、図形、模様、記号又は文字を有する別体の識別シートが備えられることとなる。
これにより、腹側部を形成する腹側部形成部材や背側部を形成する背側形成部材に色、柄、図形、模様、記号又は文字を配する手間を省いても尚、背側部に配された、色、柄、図形、模様、記号又は文字を有する識別シートを視認することによって前後区別のための情報を得られることとなる。従って、製造の手間を抑えた吸収性物品でありながら、視力の弱い装着者であっても、装着時に前後の区別を容易に行うことができ、装着の向きを素早く判断することができる。
【００２３】
請求項７に係る発明によれば、請求項６に記載の発と同様の効果が得られることは当然のこと、特に、識別シートと、該識別シートが貼り付けられた面の感触が異なることによって、識別シートの有する、色、柄、図形、模様、記号又は文字からのみならず、触感からも、前後区別のための情報を得られることとなる。これにより、特に視力の弱い装着者であっても、装着時に前後の区別を容易に行うことができ、装着の向きを素早く判断することができる。
【００２４】
請求項８に係る発明によれば、腹側部に識別シートが備えられ、該識別シートと、該識別シートが貼り付けられた面を形成する部材とが異なる感触を有することとなる。
これにより、腹側形成部材及び背側形成部材になんらの色、柄、図形、模様、記号又は文字を配せずとも、腹側部に備えられた識別シートを触った際の触感より、前後区別のための情報を得られることとなる。従って、視力の弱い装着者であっても、装着時に前後の区別を容易に行うことができ、装着の向きを素早く判断することができる。
また、視覚的な面からではなく、触覚的な面から吸収性物品の前後の区別を行うことができることとなるため、弱視者や準盲者のみならず、全盲者であっても前後の区別を容易に行うことができる。
【００２５】
請求項９に係る発明によれば、背側部に識別シートが備えられ、該識別シートと、該識別シートが貼り付けられた面を形成する部材とが異なる感触を有することとなる。
これにより、腹側形成部材及び腹側形成部材になんらの色、柄、図形、模様、記号又は文字を配せずとも、背側部に備えられた識別シートを触った際の触感より、前後区別のための情報を得られることとなる。従って、視力の弱い装着者であっても、装着時に前後の区別を容易に行うことができ、装着の向きを素早く判断することができる。
また、視覚的な面からではなく、触覚的な面から吸収性物品の前後の区別を行うことができることとなるため、弱視者や準盲者のみならず、全盲者であっても前後の区別を容易に行うことができる。
【００２６】
請求項１０に係る発明によれば、腹側部を形成する外面シートと背側部を形成する外面シートとが異なる感触を備えることとなる。
これにより、腹側部又は背側部を触った際の感触より、前後区別のための情報を得られることとなる。従って、視力の弱い装着者であっても、装着時に前後の区別を容易に行うことができ、装着の向きを素早く判断することができる。
また、視覚的な面からではなく、触覚的な面から吸収性物品の前後の区別を行うことができることとなるため、弱視者や準盲者のみならず、全盲者であっても前後の区別を容易に行うことができる。
さらに、腹側部又は背側部のどちらか一方、若しくはその両方に、表面加工を施すため、広範囲の領域から前後判断のための情報が得られることとなって、より容易且つ素早く判断を行うことができる。
【００２７】
請求項１１に係る発明によれば、腹側部における内面シートと外面シートの感触が、背側部における内面シートと外面シートの感触と異なる。
これにより、内面シート又は外面シートを触った際の感触より、前後区別のための情報を得られることとなる。従って、視力の弱い装着者であっても、装着時に前後の区別を容易に行うことができ、装着の向きを素早く判断することができる。
また、視覚的な面からではなく、触覚的な面から吸収性物品の前後の区別を行うことができることとなるため、弱視者や準盲者のみならず、全盲者であっても前後の区別を容易に行うことができる。
さらに、腹側部又は背側部のどちらか一方、若しくはその両方に、表面加工を施すため、広範囲の領域から前後判断のための情報が得られることとなって、より容易且つ素早く判断を行うことができる。
【発明を実施するための最良の形態】
【００２８】
（実施形態１）
以下、本発明の実施形態１を、図面を参照しながら詳細に説明する。
本実施形態においては、吸収性物品としての使い捨てパンツタイプ紙おむつを一例として説明する。
図１は、本願発明の使い捨てパンツタイプ紙おむつを適用した実施形態１の使い捨てパンツタイプ紙おむつの斜視図である。図２は図１の展開図であって、図３は図２のＡ−Ａ´線における断面図である。
【００２９】
図１〜３に示すように、使い捨てパンツタイプ紙おむつ（以下、「紙おむつ」という。）１は、人体に接する面に設けられた内面シートを構成するトップシート２と、トップシート２と反対側に設けられた外面シートを構成するバックシート３と、トップシート２とバックシート３との間に設けられた吸収体４と、ギャザー押さえシート１１、内面シートを構成する漏れ防止シート１２ａ、１２ｂ、防水シート１３、複数の弾性部材５１ａ、５１ｂ、５２ａ、５２ｂ、５３ａ、５３ｂ等、を備える。
【００３０】
また、紙おむつ１は、装着者が装着した際に、装着者の腹側に位置する腹側部１Ａと、背側に位置する背側部１Ｂと、腹側部１Ａと背側部１Ｂとの間に位置するとともに、股下に位置する股下部１Ｃとに区分され、装着時に装着者の腰回りを保持してなる腰回り部６０を形成する一箇所の腰回り開口部６と、装着者の脚回りを保持してなる脚回り部７０を形成する二箇所の脚回り開口部７、７を有する。
【００３１】
トップシート２は、紙おむつ１を装着した際に人体に接する面に設けられ、体液を受けて、吸収体４まで輸送する役割を果たす、透液性のシートである。
透液性シートとしては、例えば、有孔または無孔の不織布や、多孔性プラスチックシートなどにより形成されるものが挙げられる。不織布を構成する素材繊維としては、天然繊維、化学繊維のいずれを用いてもよい。
天然繊維の例としては、綿、セルロース（木材パルプ）、羊毛、絹、麻等が挙げられる。
また、化学繊維の例としては、ポリエチレン（ＰＥ）やポリプロピレン（ＰＰ）等のオレフィン系、ポリエステル（ＰＥＴ）を含むポリエステル系、ナイロンやアラミド等のポリアミド系、ポリアクリロニトリル（ＰＡＮ）等のアクリル系といった合成繊維の他、レーヨンやキュプラ等の再生繊維、酢酸セルロースやプロミックス等の半合成繊維等を挙げることができる。また、ＰＥ／ＰＰ混合不織布、ＰＥ／ＰＥＴ混合不織布の他、上記素材を適宜組み合わせたバイコンポーネント繊維（混合繊維）等も用いることができる。
【００３２】
これらの繊維素材から不織布を製造する方法としては、公知の方法を適宜用いることができ、例えば、高圧水流で繊維同士を絡ませて接合させるウォーターパンチ法や、繊維を製紙と同様の方法で製造する抄紙法等の湿式法、接着剤で接合させるケミカルボンド法や、低融点ポリマー及び自己溶融繊維で接合させるサーマルボンド法等の乾式法、特殊針でニードリングして接合させるニードルパンチ法、ポリマー溶液を口金より噴出させ、網状フィブリルを形成させるフラッシュ紡糸法などの直接式法等の方法が挙げられる。また、これらの方法を組み合わせた方法等によっても不織布を製造することができる。
【００３３】
バックシート３は、おむつ１を装着した際に人体に接する面と反対側の面に設けられ、体液などのおむつ１外部への染み出し、漏れ出しを防ぐ役割を果たす、透液性若しくは不透液性を有するシートである。
透液性シートとしては、トップシート２で挙げたシート等を用いることができる。
不透液性シートとしては、例えば、ポリエチレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
またその他にも、不透液性を有するフィルム層と、通気性を有する不織布層からなるラミ不織布を用いても良い。ラミ不織布とは、例えばポリエチレンシート等に不織布を積層した、ラミネート不織布と呼ばれる不織布のことであり、不透液性と通気性を併せ持つ
不織布である。
【００３４】
吸収体４は、紙おむつ１の使用時に体液としての尿等の水様成分を吸収する働きを成すものであり、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）等により覆われて構成されている。吸収体４は、単層構造であっても良いし、複数層に分かれた構造でも構わない。吸収体４は、人体の腹側部１Ａから両脚の間の股下部１Ｃを通り背側部１Ｂに亘る位置に装着されている。
【００３５】
ギャザー押さえシート１１は、バックシート３の内側に配された弾性部材５２ａ、５２ｂ、５３ａ、５３ｂを押さえ込んで、紙おむつ１の未使用時及び使用時の、弾性部材５２ａ、５２ｂ、５３ａ、５３ｂのずれやよれを防ぐ働きをなすシートであって、腹側部に位置する腹側ギャザー押さえシート部１１ａと、背側部に位置する背側ギャザー押さえシート部１１ｂに区分される。
より具体的には、腹側部１Ａを形成する腹側形成部材としての腹側ギャザー押さえシート部１１ａは、バックシート３との間に、弾性部材５２ａ、５３ａを挟み込んでなる。また、背側部１Ｂを形成する背側形成部材としての背側ギャザー押さえシート部１１ｂも、同様に弾性部材５２ｂ、５３ｂを挟み込んでなる。
ギャザー押さえシート１１には、透液性シート、不透液性シートのいずれシートを用いてもよく、透液性シートを用いる場合は、例えば、トップシート２で挙げたシートを用いることができ、不透液性シートを用いる場合は、例えば、バックシート３で挙げたシートを用いることができる。
【００３６】
漏れ防止シート１２ａ、１２ｂは、紙おむつ１装着時に装着者の腰回りに配される不透液性のシートであって、吸収体が吸収しきれなかった体液、若しくは一旦吸収体が吸収した後、体圧などにより染み出した体液の、紙おむつ１外部への漏れ出しを防止するのみならず、弾性部材５１ａ、５１ｂを上面から押さえ込んで、紙おむつ１の未使用時及び使用時の、弾性部材５１ａ、５１ｂのずれやよれを防ぐ。
より具体的には、腹側部１Ａを形成する腹側形成部材としての腹側漏れ防止シート１２ａは、バックシート３と、腰回り開口部６においてトップシート２側に折り返されたバックシート３との間に一方の端部を挟み込み、他方の端部で吸収体４上面の一部を被ってなる。また、背側部１Ｂを形成する背側形成部材としての背側漏れ防止シート１２ｂについても、バックシート３と、折り返されたバックシート３との間に、同様に配される。
不透液性シートには、バックシート３で挙げたシート等を用いることができる。
【００３７】
防水シート１３は、不透液性を有し、吸収体４が吸収した体液の、紙おむつ１外部への漏れ出しを防止するシートであって、腹側防水シート部１３ａと、背側防水シート部１３ｂに区分される。
より具体的には、腹側部１Ａを形成する腹側形成部材としての腹側防水シート部１３ａは、吸収体４のバックシート３側を覆い、吸収体４周辺でトップシート２と接着して、吸収体４を包み込んでなる。また、背側部１Ｂを形成する背側形成部材としての背側防水シート部１３ｂも同様に配される。
防水シートには、バックシート３で挙げたシート等を用いることができる。
【００３８】
バックシート３と腹側ギャザー押さえシート部１１ａとの間には、腹回りギャザーとして、腹側弾性部材５２ａが挟み込まれ、脚回りギャザーとして、腹側弾性部材５３ａが挟み込まれる。また、バックシート３と腹側漏れ防止シート１２ａとの間には、腰回りギャザーとして、腹側弾性部材５１ａが挟み込まれる。
他方、バックシート３と背側ギャザー押さえシート部１１ｂとの間には、腹回りギャザーとして、背側弾性部材５２ｂが挟みこまれ、脚回りギャザーとして、背側弾性部材５３ｂが挟み込まれる。さらに、バックシート３と背側漏れ防止シート１２ｂとの間には、腰回りギャザーとして、背側弾性部材５１ｂが挟み込まれる。
ここで、腰回りギャザーとしての腹側弾性部材５１ａ、５１ｂは、腰回り開口部６の近傍の腰回り部６０に設けられ、腹回りギャザーとしての弾性部材５２ａ、５２ｂは、弾性部材５１ａ、５１ｂの下方の腰回り部６０に設けられている。脚回りギャザーとしての弾性部材５３ａ、５３ｂは、脚回り開口部７近傍の脚回り部７０に設けられている。
これらの弾性部材５１ａ、５１ｂ、５２ａ、５２ｂ、５３ａ、及び５３ｂ、が施されていることにより、腰回り部６０及び脚回り部７０で紙おむつ１が好適に装着者の腰回り及び脚回りに密着することとなり、フィット感を上げることが実現するのみならず、腰回り開口部６及び脚回り開口部７、７からのモレを防ぎ、使用感を向上させることができる。
弾性部材である腰回りギャザー５１ａ、５１ｂ、腹回りギャザー５２ａ、５２ｂ、脚回りギャザー５３ａ、５３ｂとしては、例えば糸ゴムを利用することができる。
【００３９】
腹側部１Ａを形成する腹側形成部材としての、腹側ギャザー押さえシート部１１ａ、腹側漏れ防止シート１２ａ、腹側防水シート部１３ａ及び腹側弾性部材５１ａ、５２ａ、５３ａには、第１の色として、例えば緑色が施される。
一方、背側部１Ｂを形成する背側形成部材としての、背側部ギャザー押さえシート部１１ｂ、背側漏れ防止シート１２ｂ、背側防水シート部１３ｂ、背側弾性部材５１ｂ、５２ｂ、５３ｂには、第２の色として、例えば橙色が施される。
【００４０】
ここで、本実施形態における腹側形成部材及び背側形成部材は、図３に示すように、全てバックシート３の内側に配されているが、バックシート３が光透過性を有することによって腹側形成部材及び背側形成部材は、バックシート３側より、バックシート３を通して、各部材が有する色を判別できる程度に視認可能となっている。
【００４１】
以上に説明した実施形態１に係る紙おむつ１によると、腹側部１Ａは、最外面に位置するバックシート３及び緑色を有する複数の腹側形成部材で形成されていることによって、腹側部１Ａ全体に緑色が施されている印象を与える構成となっており、一方で、背側部１Ｂは、最外面に位置するバックシート３及び橙色を有する複数の背側形成部材で形成されていることによって、背側部１Ｂ全体に橙色が施されている印象を与える構成となっている。
【００４２】
これにより、装着者若しくは介護者等が、紙おむつ１を使用する際に前後の区別を行うにあたっては、限定的な一領域の狭い範囲からではなく、より広範囲からおむつの前後区別のための情報を得られることとなり、視力の弱い装着者であっても、装着時に前後の区別を容易に行うことができ、装着の向きを容易に判断することができこととなる。
また、腹側部１Ａに施す色を第１の色として緑色に、背側部１Ｂに施す色を第２の色として橙色に、それぞれ統一したことによって、おむつ全体として統一感が生まれ、高いデザイン性が備わり、装着者に洗練された印象を与えることができるのみならず、使用者や装着者の判断をより容易にすることができる。
【００４３】
（実施形態２）
次いで、実施形態２に係る使い捨てパンツタイプ紙おむつについて、図４を用いて説明する。
図４は本実施形態２の使い捨てパンツタイプ紙おむつ（以下「紙おむつ」という。）１００の斜視図である。
図４に示す紙おむつ１００は、バックシートのみが実施形態１のおむつ１と異なる。従って、実施形態２を説明するにあたり、上記実施形態１と同様の構成については、同一の符号を付し、説明は省略する。
【００４４】
図４に示すように、紙おむつ１００は、装着時に装着者の腹側に位置する腹側部１００Ａと、背側に位置する背側部１００Ｂと、股下に位置する股下部１００Ｃとに区分される。そして、腹側部１００Ａを形成する腹側形成部材としての、腹側バックシート部１０３ａ、腹側ギャザー押さえシート部（図示略）、腹側漏れ防止シート（図示略）、腹側防水シート部（図示略）、腹側弾性部材５１ａ、５２ａ、５３ａには、第１の色としての緑色が、背側部１００Ｂを形成する背側形成部材としての、背側バックシート部１０３ｂ、背側ギャザー押さえシート部（図示略）、背側漏れ防止シート１２ｂ、背側防水シート部（図示略）、背側弾性部材５１ｂ、５２ｂ、５３ｂには、第２の色としての橙色が施される。
【００４５】
以上に説明した実施形態２に係る紙おむつ１００によると、腹側部１００Ａは、最外面に位置した腹側バックシート部１０３ａを含む全ての腹側形成部材が緑色で形成されていることによって、腹側部１００Ａ全体に緑色が施されている印象を強く与える構成となっており、一方、背側部１００Ｂは、最外面に位置する背側バックシート部１０３ｂを含む全ての背側形成部材が橙色で形成されていることによって、背側部１００Ｂ全体に橙色が施されている印象を強く与える構成となっている。
【００４６】
これにより、装着者若しくは介護者等が、おむつ１００を使用する際に前後の区別を行うにあたっては、限定的な一領域の狭い範囲からでなく、より広範囲からおむつの前後区別のための情報を得られることとなる。
本実施形態の場合、最上面に位置する腹側バックシート部１０３ａ及び背側バックシート部１０３ｂについても、緑色及び橙色が施されているため、より明瞭に色の判別をおこなうことができる。
従って、視力の弱い装着者であっても、装着時に前後の区別を容易に行うことができ、装着の向きを容易に判断することができこととなる。
【００４７】
＜変形例１＞
図５に、実施形態２における変形例の紙おむつの斜視図を示した。
図５の変形例の紙おむつ２００を説明するにあたっては、実施形態２の紙おむつ１００と同様の構成については、同一の符号を付し、詳細な説明は省略する。
【００４８】
図５に示すように、紙おむつ２００には、腹側バックシート部１０３ａと背側バックシート部１０３ｂとの接着領域において、紙おむつの前後を表示する識別タグ９が取り付けられている。
【００４９】
識別タグ９は、腹側バックシート部１０３ａと背側バックシート部１０３ｂとで形成されるサイドフラップを挟み込んで固定されることによって備えられる。識別タグ９の腹側部１００Ａ側の面には、腹側形成部材に施された色であって、第１の色である緑色が、背側部１００Ｂ側の面には、背側形成部材に施された色であって、第２の色である橙色が施される。
また、第１の色を有する識別タグ表面には、「前側」を意味する文字が、第２の色を有する識別タグ表面には「後側」を意味する文字が配される。
【００５０】
図５における紙おむつ２００においては、前後判断のための情報として、腹側部１００Ａ側には腹側形成部材が有する第１の色及び「前側」を意味する文字を、背側部１００Ｂ側には背側形成部材が有する第２の色及び「後側」を意味する文字を有する識別タグ９を用いることとなる。
これにより、装着者若しくは介護者が、おむつ２００を使用する際に前後の区別を行うにあたっては、識別タグ９を含む、さらに広範囲からおむつの前後区別のための情報を得られるのみならず、識別タグ９に配された、前後を表示する文字によっても視認できることとなる。
従って、視力の弱い装着者であっても、装着時に前後の区別を容易に行うことができ、装着の向きを容易に判断することができこととなる。
【００５１】
（実施形態３）
次いで、実施形態３に係る使い捨てパンツタイプ紙おむつ３００について、図６を用いて説明する。
図６は本実施形態３の使い捨てパンツタイプ紙おむつ（以下「紙おむつ」という。）３００の斜視図である。図７は、図６のＢ−Ｂ´線における断面図である。
紙おむつ３００におけるバックシート３上に別体のシートが設けられている点で、実施形態１の使い捨てパンツタイプ紙おむつ１とは異なる。従って、実施形態３を説明するにあたり、上記実施形態１と同様の構成については、同一の符号を付し、説明は省略する。
【００５２】
図６に示す紙おむつ３００は、装着時に装着者の腹側に位置する腹側部３００Ａと、背側に位置する背側部３００Ｂと、股下に位置する股下部３００Ｃとに区分される。
また、装着時に装着者の腹回りを保持してなる腹回り部を形成する一箇所の腹周り開口部３０６と、装着者の脚回りを保持してなる脚回り部を形成する二箇所の脚回り開口部３０７、３０７とを有する。
【００５３】
図６に示すように、紙おむつ３００におけるバックシート３には、腹側３００Ａの腰回り開口部３０６近傍に識別シート８が備えられることとなる。識別シート８は、背側部３００Ｂを形成する背側形成部材に施された色と異なる色を有するとともに、識別シート８が貼り付けられた面を形成する部材であるバックシート３と異なる感触を有する。
【００５４】
識別シート８は、不織布等からなる別体のシートであって、腹側部３００Ａの腰回り開口部３０６近傍の、腰回りギャザーとしての腹側弾性部材３５１ａが配される領域（以下、「腰回りギャザー部」という。）３５４に、腹側漏れ防止シート３１２ａ側からバックシート３側に亘って、腰回り開口部３０６を巻き込むように貼り付けられ、識別シート８の長手方向が腰回り開口部３０６に略沿うよう取り付けられる。図７に示すように識別シート８は厚みを有し、その厚みは、識別シート８を触った際に、背側形成部材との差を感じられる程度の厚みであることが望ましい。具体的には、識別シート８として用いる不織布等の目付が、例えば、３０ｍｇ以上であることが望ましい。また、識別シート８の製造方法としては、繊維をエアでシート化する、エアスルー法や、溶融紡糸を用いるスパンボンド法、メルトブロー法で製造した不織布をスパンボンド法で製造した不織布で挟み込むことによって形成されるＳＭＳ法で製造された不織布等を挙げることができる。
さらに、識別シート８は、貼り付けられた面、つまりバックシート３と異なる手触りを有する。異なる手触りを実現する方法として、例えば、エンボス加工、ヒートシール、超音波融着等の方法で異なるパターンの加工を施したり、ホットメルト接着剤、樹脂等で異なるパターンを付与すること（例えば、軍手のすべり止めなど）等が挙げられる。
その上、識別シート８の表面には、背側部３００Ｂを形成する背側形成部材に施される色とは異なる色が施される。本実施形態においては、腹側形成部材としての、腹側ギャザー押さえシート部３１１ａ、腹側漏れ防止シート３１２ａ、腹側防水シート部３１３ａ及び腹側弾性部材３５１ａ、３５２ａ、３５３ａ及び背側形成部材としての背側ギャザー押さえシート部３１１ｂ、背側漏れ防止シート３１２ｂ、背側防水シート部３１３ｂ及び背側弾性部材３５１ｂ、３５２ｂ、３５３ｂには白色が施され、識別シート８には赤色が施される。
【００５５】
以上に説明した実施形態３の紙おむつ３００によると、腹側部３００Ａの腰回りギャザー部３５４には、腹側部３００Ａを形成する腹側形成部材であるバックシート３と異なる感触と、背側形成部材に施された色と異なる色と、を有する別体の識別シートが備えられることとなる。
これにより、腹側形成部材及び背側形成部材に何らの色や加工等を施すことなく、腹側部３００Ａに配された識別シート８を触って、また視認することによって、前後区別のための情報を入手することができることとなって、視力の弱い装着者であっても、装着時に前後の区別を容易に行うことができ、装着の向きを容易に判断することができこととなる。
【００５６】
（実施形態４）
次いで、実施形態４に係る使い捨てパンツタイプ紙おむつについて図８を用いて説明する。
図８は、本実施形態４の使い捨てパンツタイプ紙おむつ（以下、「紙おむつ」という。）４００の斜視図である。
紙おむつ４００に設けられた識別シートの形状が、実施形態３の使い捨てパンツタイプ紙おむつと異なる。従って、実施形態４を説明するにあたり、上記実施形態３と同様の構成については同一の符号を付し、説明は省略する。
図８に示す紙おむつ４００は、装着時に装着者の腹側に位置する腹側部４００Ａと、背側に位置する背側部４００Ｂと、股下に位置する股下部４００Ｃとに区分される。
また、装着時に装着者の腹回りを保持してなる腹回り部を形成する一箇所の腹回り開口部３０６と、装着者の脚回りを保持してなる脚回り部を形成する二箇所の脚回り開口部４０７、４０７とを有する。
【００５７】
図８に示すように、紙おむつ４００におけるバックシート３には、腹側部４００Ａの腰回りギャザー部４５４に、バックシート３と異なる感触を有する識別シート１８が備えられる。
識別シート１８は幅を有する帯状の形状を成し、且つその表面には全面に亘って細かい円状の凹加工が施されてなる。
【００５８】
図８における紙おむつ４００においては、識別シート１８の表面形状である円状の凹加工を、前後区別のための情報として用いることができることとなる。これにより、紙おむつ４００の前後区別のための情報として、視覚より得られる識別シート１８の存在に加えて、触覚より得られる表面形状に関する情報を入手して用いることができ、視力の弱い装着者であっても、装着時に前後の区別を容易に行うことができ、装着の向きを容易に判断することができこととなる。
【００５９】
＜変形例１＞
図９に、実施形態４における変形例１の紙おむつの斜視図を示した。
図９の変形例の紙おむつ５００を説明するにあたっては、実施形態４の紙おむつ４００と同様の構成については、同一の符号を付し、詳細な説明は省略する。
【００６０】
図９に示すように、紙おむつ５００におけるバックシート３には、腹側部４００Ａの腰回りギャザー部５５４に、紙おむつ５００本体とは別体のシートとして、識別シート２８が備えられる。
識別シート２８は幅を有する帯状の形状を成し、且つその中央部にはリボン型の模様が施されている。
【００６１】
図９における紙おむつ５００においては、識別シートの中央部にリボン型の模様が施されていることにより、識別シート２８の表面の模様が目立つこととなって、視力の弱い装着者であっても、装着時に前後の区別を容易に行うことができ、装着の向きを容易に判断することができこととなるのみならず、識別シート２８がデザイン性を兼ね備えることとなって、女性用の紙おむつ５００としての外観を向上させることができる。
【００６２】
＜変形例２＞
図１０に、実施形態４における変形例２の紙おむつの斜視図を示した。
図１０の変形例の紙おむつ６００を説明するにあたっては、実施形態４の紙おむつ４００と同様の構成については、同一の符号を付し、詳細な説明は省略する。
【００６３】
図１０に示すように、紙おむつ６００におけるバックシート３には、腹側部４００Ａの腰回りギャザー部６５４に、紙おむつ６００本体とは別体のシートとして、識別シート３８が備えられる。
識別シート３８は幅を有する帯状の形状を成し、中央部にベルト型の模様が施されている。
【００６４】
図１０における紙おむつ６００においては、識別シートの中央部にベルト型の模様が施されていることにより、識別シート３８の表面の模様が目立つこととなって、視力の弱い装着者であっても、装着時に前後の区別を容易に行うことができ、装着の向きを容易に判断することができこととなるのみならず、識別シート３８がデザイン性を兼ね備えることとなって、男性用の紙おむつ６００としての外観を向上させることができる。
【００６５】
（実施形態５）
次いで、実施形態５に係る使い捨てパンツタイプ紙おむつについて図１１、１２を用いて説明する。
図１１は、本実施形態５の使い捨てパンツタイプ紙おむつ(以下、「紙おむつ」という。) ７００の斜視図であって、図１２は図１１のＣ−Ｃ´線での断面図である。
紙おむつ７００のバックシートの形状及び識別シートが実施形態３の使い捨てパンツタイプ紙おむつ３００と異なる。従って、実施形態５を説明するにあたり、上記実施形態３と同様の構成については同一の符号を付し、説明は省略する。
【００６６】
図１１に示す紙おむつ７００は、装着時に装着者の腹側に位置する腹側部７００Ａと、背側に位置する背側部７００Ｂと、股下に位置する股下部７００Ｃとに区分される。
また、装着時に装着者の腹回りを保持してなる腹回り部を形成する一箇所の腹回り開口部７０６と、装着者の脚回りを保持してなる脚回り部を形成する二箇所の脚回り開口部７０７、７０７とを有する。
【００６７】
図１１に示すように、紙おむつ７００の腹側部７００Ａを形成する腹側バックシート部７０３ａには、シート表面から凸状に浮き上がって見えるエンボス加工が施され、背側部７００Ｂを形成する背側バックシート部７０３ｂには、シート表面から凹状に沈み込んで見えるデボス加工が施されてなる。
【００６８】
以上に説明した実施形態５の紙おむつ７００によると、紙おむつ７００の腹側部７００Ａを形成する腹側バックシート部７０３ａには、シート表面から凸状に浮き上がって見えるエンボス加工が施され、背側部７００Ｂを形成する背側バックシート部７０３ｂには、シート表面から凹状に沈み込んで見えるデボス加工が施されているので、腹側部７００Ａの腹側バックシート部７０３ａが備える感触と、背側部７００Ｂの背側バックシート部７０３ｂが備える感触が、異なることとなる。
これにより、腹側形成部材及び背側形成部材に何らの色等を施すことなく、また、別部材を貼り付けることなく、腹側バックシート部７０３ａ、背側バックシート部７０３ｂを触ることで、前後区別のための情報を入手することができることとなって、視力の弱い装着者であっても、装着時に前後の区別を容易に行うことができ、装着の向きを容易に判断することができこととなる。
また、表面加工が施された腹側部７００Ａの腹側バックシート部７０３ａ、又は背側部７００Ｂの背側バックシート部７０３ｂ、若しくはそれらいずれもより、前後判断のための情報を得られることとなって、より容易且つ素早く判断を行うことができる。
【００６９】
（実施形態６）
次いで、実施形態６に係る使い捨てパンツタイプ紙おむつについて図１３、１４を用いて説明する。
図１３は、本実施形態６の使い捨てパンツタイプ紙おむつ（以下、「紙おむつ」という。）８００の斜視図であって、図１４は、図１３のＤ−Ｄ´線での断面図である。
紙おむつ８００の、バックシート及び漏れ防止シートの形状が実施形態５の使い捨てパンツタイプ紙おむつ７００と異なる。従って、実施形態６を説明するにあたり、上記実施形態５と同様の構成については同一の符号を付し、説明は省略する。
【００７０】
図１３に示すように、紙おむつ８００の、腹側部７００Ａを形成する腹側バックシート部８０３ａには、シート表面から凹状に沈み込んで見えるデボス加工が施され、一方、腹側部７００Ａを形成する、内面シートとしての、腹側漏れ防止シート８１２ａには、シート表面から凸状に浮き上がって見えるエンボス加工が施されてなる。
一方、背側部７００Ｂを形成する背側バックシート部８０３ｂや背側漏れ防止シート８１２ｂは、凹凸のないフラットな感触を備える。
【００７１】
以上に説明した実施形態６の紙おむつ８００によると、紙おむつ８００の腹側部７００Ａを形成する腹側バックシート部８０３ａと、腹側漏れ防止シート８１２ａに、デボス加工及びエンボス加工が施されることとなるため、腹側部７００Ａの腹側バックシート部８０３ａ及び腹側漏れ防止シート８１２ａが有する感触と、背側部７００Ｂの背側バックシート部８０３ｂ及び背側漏れ防止シート８１２ｂが有する感触が異なることとなる。
これにより、腹側形成部材及び背側形成部材に何らの色等を施すことなく、また、別部材を貼り付けることなく、腹側バックシート部８０３ａ及び腹側漏れ防止シート８１２ａを触ることで、前後区別のための情報を入手することができることとなって、視力の弱い装着者であっても、装着時に前後の区別を容易に行うことができ、装着の向きを容易に判断することができることとなる。
また、外面シートとしての腹側バックシート部８０３ａ、内面シートとしての腹側漏れ防止シート８１２ａの何れよりも前後判断のための情報を得られることとなって、より容易且つ素早く判断を行うことができる。
尚、この時、エンボス加工及びデボス加工を施す部分として、腹側部７００Ａに限られることなく、背側部７００Ｂの背側バックシート部８０３ｂ及び背側漏れ防止シート８１２ｂとしても良い。
【００７２】
尚、各形成部材に施された色、柄、図形、模様、記号又は文字は、視覚的に捉えることが可能であって、何らかの部材を間に通して視認できることでも足りる。
また、吸収性物品として、使い捨てパンツタイプ紙おむつに限られることはなく、おむつカバー等の、吸収体と共に使用するタイプのおむつ等への本発明の適用も可能である。
【図面の簡単な説明】
【００７３】
【図１】本願発明の吸収性物品を適用した実施形態１の使い捨てパンツタイプ紙おむつの斜視図である。
【図２】図１の使い捨てパンツタイプ紙おむつの展開図である。
【図３】図１のＡ−Ａ´線での断面図である。
【図４】本願発明の吸収性物品を適用した実施形態２の使い捨てパンツタイプ紙おむつの斜視図である。
【図５】図４の変形例１の使い捨てパンツタイプ紙おむつの斜視図である。
【図６】本願発明の吸収性物品を適用した実施形態３の使い捨てパンツタイプ紙おむつの斜視図である。
【図７】図６のＢ−Ｂ´線での断面図である。
【図８】本願発明の吸収性物品を適用した実施形態４の使い捨てパンツタイプ紙おむつの斜視図である。
【図９】図８の変形例１の使い捨てパンツタイプ紙おむつの斜視図である。
【図１０】図８の変形例２の使い捨てパンツタイプ紙おむつの斜視図である。
【図１１】本願発明の吸収性物品を適用した実施形態５の使い捨てパンツタイプ紙おむつの斜視図である。
【図１２】図１１のＣ−Ｃ´線での断面図である。
【図１３】本願発明の吸収性物品を適用した実施形態６の使い捨てパンツタイプ紙おむつの斜視図である。
【図１４】図１３のＤ−Ｄ´線での断面図である。
【符号の説明】
【００７４】
１、１００、２００、３００、４００、５００、６００、７００、８００  使い捨てパンツタイプ紙おむつ
１Ａ、１００Ａ、３００Ａ、４００Ａ、７００Ａ  腹側部
１Ｂ、１００Ｂ、３００Ｂ、４００Ｂ、７００Ｂ  背側部
１Ｃ、１００Ｃ、３００Ｃ、４００Ｃ、７００Ｃ  股下部
２  トップシート
３  バックシート
１０３ａ、７０３ａ、８０３ａ  腹側バックシート部
１０３ｂ、７０３ｂ、８０３ｂ  背側バックシート部
４  吸収体
５１ａ、５２ａ、５３ａ、３５１ａ、３５２ａ、３５３ａ  腹側弾性部材
５１ｂ、５２ｂ、５３ｂ、３５１ｂ、３５２ｂ、３５３ｂ  背側弾性部材
６、３０６、４０６、７０６  腰回り開口部
７、３０７、４０７、７０７  脚回り開口部
８、１８、２８、３８  識別シート
９  識別タグ
１１  ギャザー押さえシート
１３  防水シート
１１ａ、３１１ａ  腹側ギャザー押さえシート部
１２ａ、３１２ａ、８１２ａ  腹側漏れ防止シート
１３ａ、３１３ａ  腹側防水シート部
１１ｂ、３１１ｂ  背側ギャザー押さえシート部
１２ｂ、３１２ｂ、８１２ｂ  背側漏れ防止シート
１３ｂ、３１３ｂ  背側防水シート部
６０  腰回り部
７０  脚回り部
３５４、４５４、５５４、６５４  腰回りギャザー部
【図１】
2005237768.tif 000003
【図２】
2005237768.tif 000004
【図３】
2005237768.tif 000005
【図４】
2005237768.tif 000006
【図５】
2005237768.tif 000007
【図６】
2005237768.tif 000008
【図７】
2005237768.tif 000009
【図８】
2005237768.tif 000010
【図９】
2005237768.tif 000011
【図１０】
2005237768.tif 000012
【図１１】
2005237768.tif 000013
【図１２】
2005237768.tif 000014
【図１３】
2005237768.tif 000015
【図１４】
2005237768.tif 000016